(57)【要約】【課題】装置を大型化することなく、両替手数料のお釣りを出金できる両替機を提供する。【解決手段】利用者は、手数料入金画面に基づいて、手数料額以上の金額の貨幣を入金する。この場合、利用者は、紙幣入出金口１７から紙幣を入金してもよいし、バラ硬貨入金口１３から硬貨を入金してもよい。利用者によって手数料額以上の金額の貨幣が入金されると、制御部２０は、手数料用入金額Ｄが手数料Ｃより高いか否かを判別する。手数料用入金額Ｄが手数料Ｃより高いと判別された場合には、制御部２０は、両替金を出金するとともに、手数料用入金額Ｄが手数料Ｃとの差に応じたお釣り（Ｄ−Ｃ）を、出金庫２１Ｂ，２２Ｂ内の両替準備金から出金する。【選択図】図１
2012064113.tif 000002
【特許請求の範囲】
【請求項１】
両替用準備金を収納する出金庫と、
両替手数料として入金された金額が両替手数料より高いときには、その差額に応じたお釣りを、前記出金庫内の両替用準備金から出金させる手段とを含む、両替機。
【請求項２】
両替のための貨幣を入金するための貨幣入金口が、両替手数料を入金するための貨幣入金口を兼ねている、請求項１に記載の両替機。
【請求項３】
所定の指令が入力されたときに、所定期間内に納入された両替手数料の総額に応じた貨幣を、前記出金庫から出金させる手段をさらに含む、請求項１または２に記載の両替機。
【発明の詳細な説明】
【技術分野】
【０００１】
この発明は、ある種類の貨幣を別の種類の貨幣に両替する両替機に関する。
【背景技術】
【０００２】
銀行などの金融機関には、ある種類の貨幣を別の種類の貨幣に両替する両替機が設置されている 。近年、多くの金融機関では、両替機の利用を有料化している。この場合、両替手数料の設定方式には、手数料が固定されている手数料固定方式、両替貨幣の数量に応じて手数料が段階式に異なる従量方式等がある。
両替機の利用の有料化に対応するために、下記特許文献１に示されるように、両替機に手数料受付機を設けたものがある。このような両替機を利用する利用者は、両替手数料に応じた額以上の貨幣を手数料受付機に投入する。投入された貨幣の額が両替手数料より高い場合には、その差額に応じたお釣りが手数料受付機から投出される。
【先行技術文献】
【特許文献】
【０００３】
【特許文献１】実開平６−７５０６３号公報
【発明の概要】
【発明が解決しようとする課題】
【０００４】
前述した従来の両替機では、手数料のお釣りを投出するために、両替機の貨幣の収納庫とは別に、手数料受付機に複数種類の金種の貨幣を収納する収納庫が必要となる。このため、両替機と手数料受付機からなる装置が大型化する。
この発明は、装置を大型化することなく、両替手数料のお釣りを出金できる両替機を提供することを目的とする。
【課題を解決するための手段】
【０００５】
請求項１に記載の発明は、両替用準備金を収納する出金庫と、両替手数料として入金された金額が両替手数料より高いときには、その差額に応じたお釣りを、前記出金庫内の両替用準備金から出金させる手段とを含む、両替機である。
この構成によれば、両替手数料のお釣りを、両替機の出金庫内の両替用準備金から出金することができる。このため、前記特許文献１に記載された従来例に比べて、装置を大型化することなく、両替手数料のお釣りを出金できるようになる。
【０００６】
請求項２に記載の発明は、両替のための貨幣を入金するための貨幣入金口が、両替手数料を入金するための貨幣入金口を兼ねている、請求項１に記載の両替機である。この構成によれば、両替手数料を入金するため貨幣入金口を、両替のための貨幣を入金するための貨幣入金口とは別に設ける必要がない。このため、両替機の構成が簡単となる。
請求項３に記載の発明は、所定の指令が入力されたときに、所定期間内に納入された両替手数料の総額に応じた貨幣を、前記出金庫から出金させる手段をさらに含む、請求項１または２に記載の両替機である。
【０００７】
この構成では、たとえば、係員は、所定期間内に納入された両替手数料の総額に応じた貨幣を、両替機から取得することができる。このため、所定期間内に納入された両替手数料の総額に応じた貨幣を、両替機から回収した貨幣から取り出す場合に比べて、係員の負担が軽減される。
【発明の効果】
【０００８】
この発明によれば、装置を大型化することなく、両替手数料のお釣りを出金することができる。
【図面の簡単な説明】
【０００９】
【図１】この発明の一実施形態に係る両替機の概略的な外観を示す斜視図である。
【図２】両替機の電気的な構成を概略的に示すブロック図である。
【図３】両替機の動作を示すフローチャートである。
【図４】両替機の動作を示すフローチャートである。
【図５】図５Ａは、両替処理の内容例を示す模式図であり、図５Ｂは、図５Ａに示される両替処理が行われた場合に生成される管理データを示す模式図である。
【図６】出納機への入金回収時に、両替機および係員によって行われる処理を説明するための説明図である。
【発明を実施するための形態】
【００１０】
以下、図面を参照して、この発明の実施の形態について説明する。
図１は、この発明の一実施形態に係る両替機の外観を示す斜視図である。
両替機１は、紙幣を他の金種の貨幣に両替する機能および硬貨を他の金種の硬貨に両替する機能を備えている。この両替機１を利用する場合には、利用者に両替手数料（以下、単に「手数料」という）が課せられる。この実施形態では、手数料方式として従量方式が採用されており、両替枚数に応じて数量が段階的に設定されているものとする。ただし、両替枚数が所定値未満の場合には、手数料は発生しないものとする。
【００１１】
両替機１は、装置本体１０を備えている。装置本体１０の前面は、上部を除いて前方に張り出している。前方に張り出している部分を前方張り出し部１０ａということにする。装置本体１０の前面における前方張り出し部１０ａより上側のほぼ垂直な操作面には、各種画面が表示されるとともに利用者が操作を行なうための操作表示部１１、取扱状態を表示するための取扱状態表示部１２、バラ硬貨を入金するためのバラ硬貨入金口１３、バラ硬貨が出金されるバラ硬貨出金口１４、レシート発行口１５等が設けられている。
【００１２】
前方張り出し部１０ａの上面のほぼ水平な操作面には、包装硬貨を出金するための包装硬貨出金口１６、紙幣を入金または出金するための紙幣入出金口１７等が設けられている。バラ硬貨入金口１３、バラ硬貨出金口１４、包装硬貨出金口１６および紙幣入出金口１７には、図示しないシャッタが設けられている。これらのシャッタは常時は、閉じられており、貨幣の入出金時に開かれるようになっている。
【００１３】
また、前方張り出し部１０ａの前面には、入金貨幣に含まれる異物等を返却するための異物返却口１８が設けられている。
図２は、両替機１の電気的構成を概略的に示すブロック図である。
両替機１は、制御部２０を備えている。制御部２０は、ＣＰＵ、そのプログラム等を記憶したＲＯＭ、必要なデータを記憶するＲＡＭ等を備えたマイクロコンピュータから構成されている。制御部２０には、紙幣処理部２１、バラ硬貨処理部２２、包装硬貨処理部２３、レシート処理部２４、操作表示部１１、書き換え可能な不揮発性メモリ２５等が接続されている。
【００１４】
紙幣処理部２１は、紙幣の入出金処理を行なうものである。紙幣処理部２１は、入金庫２１Ａと出金庫２１Ｂとを含んでいる。入金庫２１Ａには、紙幣入出金口１７から入金された紙幣が収納される。出金庫２１Ｂには、両替準備金としての紙幣が収納される。この実施形態では、出金庫２１Ｂは、５千円紙幣が収納された出金庫と、千円紙幣が収納された出金庫とを含んでいる。両替処理時に出金庫２１Ｂから繰り出された紙幣は、紙幣入出金口１７から出金される。
【００１５】
バラ硬貨処理部２２は、バラ硬貨の入出金処理を行なうものである。バラ硬貨処理部２２は、入金庫２２Ａと出金庫２２Ｂとを含んでいる。入金庫２２Ａには、バラ硬貨入金口１３から入金された硬貨が収納される。出金庫２２Ｂには、両替準備金としてのバラ硬貨が収納される。この実施形態では、出金庫２２Ｂは、５００円硬貨が収納された出金庫と、１００円硬貨が収納された出金庫とを含んでいる。両替処理時に出金庫２２Ｂから繰り出されたバラ硬貨は、バラ硬貨出金口１４から出金される。
【００１６】
包装硬貨処理部２３は、包装硬貨の出金処理を行なうものである。包装硬貨処理部２３は、出金庫２３Ｂを含んでいる。この実施形態では、出金庫２３Ｂには、１０円が５０枚単位で包装された包装硬貨（以下において、「１０円の棒金」という場合がある。）が収納される。両替処理時に出金庫２３Ｂから繰り出された１０円の棒金は、包装硬貨出金口１６から出金される。
【００１７】
レシート処理部２４は、両替処理の明細が記録されたレシートを発行するためのものである。両替処理の明細が記録されたレシートは、レシート発行口１５から発行される。
操作表示部１１は、たとえば、タッチパネル付きの液晶表示器から構成されている。
不揮発性メモリ２５には、たとえば、図５Ｂに示されるような管理データ等が記憶される。この実施形態では、管理データは、手数料、入金、出金、在高等のデータを含んでいる。手数料データは、両替時に算出された手数料である。入金データは、両替時に入金された貨幣の金額を表すデータであり、この実施形態では、１万円紙幣、千円紙幣、５００円硬貨および１００円硬貨の金種毎の入金データを含んでいる。出金データは、両替時に出金された貨幣の金額を表すデータであり、５千円紙幣、千円紙幣、１０円の棒金、５００円硬貨および１００円硬貨の金種毎の出金データを含んでいる。
【００１８】
在高データは、入金庫の在高データと、出金庫の在高データとを含んでいる。入金庫の在高データは、実際には、紙幣処理部２１内の入金庫２１Ａの在高データと、バラ硬貨処理部２２内の入金庫２２Ａの在高データと、各入金庫の在高データの総和（入金計）とからなるが、図５Ｂでは、入金計のみが示されている。
出金庫の在高データは、紙幣処理部２１内の出金庫２１Ｂの在高データ（５千円紙幣の出金庫の在高データ，千円紙幣の出金庫の在高データ）と、バラ硬貨処理部２２内の出金庫２２Ｂの在高データ（５００円硬貨の出金庫の在高データ，１００円硬貨の出金庫の在高データ）と、包装硬貨処理部２３内の出金庫２３Ｂの在高データ（１０円硬貨の棒金の在高データ）と、各出金庫の在高データの総和（出金計）とからなる。
【００１９】
図３および図４は、両替機１の動作を示すフローチャートである。
待機中において、利用者が紙幣入出金口１７またはバラ硬貨入金口１３から貨幣を入金すると（ステップＳ１）、制御部２０は、入金額（両替用入金額）Ａを算出するとともに（ステップＳ２）、両替選択画面を操作表示部１１に表示する（ステップＳ３）。
利用者は、この両替選択画面上で、両替対象貨幣の種類および数量を選択する。以下において、利用者によって選択された両替対象貨幣の種類および数量の各組合せに対応する金額の合計金額を、「両替額Ｂ」という場合がある。なお、前記両替選択画面上で利用者が両替対象の貨幣の種類および数量を選択する際、両替額Ｂが両替用入金額Ａを超えるような選択操作は行なえないようになっているものとする。
【００２０】
両替選択操作が完了すると（ステップＳ４：ＹＥＳ）、制御部２０は、手数料Ｃを算出する（ステップＳ５）。手数料Ｃが零（無料）であれば（ステップＳ６：ＹＥＳ）、制御部２０は、両替用入金額Ａが両替額Ｂより高いか否かを判別する（ステップＳ７）。
両替用入金額Ａが両替額Ｂに等しい場合には（ステップＳ７：ＮＯ）、制御部２０は、両替金を出金する（ステップＳ８）。具体的には、制御部２０は、利用者によって選択された両替対象貨幣を利用者によって選択された数量だけ、出金庫２１Ｂ，２２Ｂ，２３Ｂ内の両替準備金から出金する（ステップＳ８）。そして、制御部２０は、レシートの発行、管理データの記憶等の処理を行なった後、今回の両替処理を終了する。
【００２１】
前記ステップＳ７において、両替用入金額Ａが両替額Ｂより高いと判別された場合には（ステップＳ７：ＹＥＳ）、両替金を出金するとともに、両替用入金額Ａと両替額Ｂとの差に応じたお釣りＦ１（両替のお釣り；Ｆ１＝Ａ−Ｂ）を、出金庫２１Ｂ，２２Ｂから出金する（ステップＳ９）。そして、制御部２０は、レシートの発行、管理データの記憶等の処理を行なった後、今回の両替処理を終了する。
【００２２】
前記ステップＳ６において、手数料Ｃが零ではないと判別された場合には（ステップＳ６：ＮＯ）、つまり、手数料Ｃが有料である場合には、制御部２０は、両替用入金額Ａが両替額Ｂより高いか否かを判別する（ステップＳ１０）。両替用入金額Ａが両替額Ｂに等しい場合には（ステップＳ１０：ＮＯ）、制御部２０は、手数料の入金を促す手数料入金画面を操作表示部１１に表示する（ステップＳ１１）。この手数料入金画面には、今回の両替処理に必要な手数料の金額と手数料の入金を促すメッセージとが表示される。
【００２３】
利用者は、手数料入金画面に基づいて、手数料額以上の金額の貨幣を入金する。この場合、利用者は、紙幣入出金口１７から紙幣を入金してもよいし、バラ硬貨入金口１３から硬貨を入金してもよい。
利用者によって手数料額以上の金額の貨幣が入金されると（ステップＳ１２：ＹＥＳ）、制御部２０は、前記ステップＳ１２で入金された入金額（手数料用入金額）Ｄが手数料Ｃより高いか否かを判別する（ステップＳ１３）。手数料用入金額Ｄが手数料Ｃと等しい場合には（ステップＳ１３：ＮＯ）、制御部２０は両替金を出金する（ステップＳ１４）。そして、制御部２０は、レシートの発行、管理データの記憶等の処理を行なった後、今回の両替処理を終了する。
【００２４】
前記ステップＳ１３において、手数料用入金額Ｄが手数料Ｃより高いと判別された場合には（ステップＳ１３：ＹＥＳ）、制御部２０は、両替金を出金するとともに、手数料用入金額Ｄと手数料Ｃとの差に応じたお釣りＦ２（手数料のお釣り；Ｆ２＝Ｄ−Ｃ）を、出金庫２１Ｂ，２２Ｂ内の両替準備金から出金する（ステップＳ１５）。そして、制御部２０は、レシートの発行、管理データの記憶等の処理を行なった後、今回の両替処理を終了する。
【００２５】
前記ステップＳ１０において、両替用入金額Ａが両替額Ｂより高いと判別された場合には（ステップＳ１０：ＹＥＳ）、制御部２０は、両替用入金額Ａと両替額Ｂとの差額（Ａ−Ｂ）から手数料Ｃを差し引くか否かを、利用者に選択させるための選択画面を操作表示部１１に表示する（ステップＳ１６）。
利用者は、この選択画面上で、両替用入金額Ａと両替額Ｂとの差額から手数料Ｃを差し引くか否かを選択する。
【００２６】
前記差額（Ａ−Ｂ）から手数料Ｃを差し引くことが利用者によって選択されなかった場合には（ステップＳ１７：ＮＯ）、ステップＳ３に戻る。この場合には、既に行われた両替選択操作によって選択されていた選択内容がリセットされた後に、両替選択画面が表示される。利用者は、この両替選択画面上で両替選択操作をやり直すことになる。
前記ステップＳ１７において、前記差額（Ａ−Ｂ）から手数料Ｃを差し引くことが利用者によって選択されたと判別された場合には（ステップＳ１７：ＹＥＳ）、制御部２０は、前記差額（Ａ−Ｂ）と手数料Ｃとを比較する（ステップＳ１８）。具体的には、制御部２０は、前記差額（Ａ−Ｂ）が、手数料Ｃと等しいか、手数料Ｃより高いか、手数料Ｃより低いかを判別する。
【００２７】
前記ステップＳ１８で前記差額（Ａ−Ｂ）が手数料Ｃと等しい（（Ａ−Ｂ）＝Ｃ）と判別された場合には、制御部２０は、両替金を出金する（ステップＳ１９）。そして、制御部２０は、レシートの発行、管理データの記憶等の処理を行なった後、今回の両替処理を終了する。
前記ステップＳ１８において、前記差額（Ａ−Ｂ）が手数料Ｃより高い（（Ａ−Ｂ）＞Ｃ）と判別された場合には、制御部２０は、両替金を出金するとともに、前記差額（Ａ−Ｂ）と手数料Ｃとの差（Ａ−Ｂ−Ｃ）に応じたお釣りＦ３を出金庫２１Ｂ，２２Ｂ内の両替準備金から出金する（ステップＳ２０）。この場合、前記差額（Ａ−Ｂ）を手数料として入金された金額であると考えると、お釣りＦ３は、手数料として入金された金額と手数料Ｃとの差に応じた額となる。したがって、この場合のお釣りＦ３は、手数料のお釣りと見做すことができる。そして、制御部２０は、レシートの発行、管理データ記憶等の処理を行なった後、今回の両替処理を終了する。
【００２８】
前記ステップＳ１８において、前記差額（Ａ−Ｂ）が手数料Ｃより低い（（Ａ−Ｂ）＜Ｃ）と判別された場合には、制御部２０は、手数料の不足分（Ｃ−（Ａ−Ｂ））の入金を促す手数料入金画面を操作表示部１１に表示する（ステップＳ２１）。この手数料入金画面には、手数料の不足分（Ｃ−（Ａ−Ｂ））を示す金額と当該不足分の入金を促すメッセージとが表示される。
【００２９】
利用者は、この手数料入金画面に基づいて、手数料の不足分以上の金額の貨幣を入金する。この場合、利用者は、紙幣入出金口１７から紙幣を入金してもよいし、バラ硬貨入金口１３から硬貨を入金してもよい。
利用者によって手数料の不足分以上の金額の貨幣が入金されると（ステップＳ２２：ＹＥＳ）、制御部２０は、前記ステップＳ２１で入金された入金額（手数料用入金額）Ｅが手数料の不足分（Ｃ−（Ａ−Ｂ））より高いか否かを判別する（ステップＳ２３）。手数料用入金額Ｅが不足分（Ｃ−（Ａ−Ｂ））と等しい場合には（ステップＳ２３：ＮＯ）、制御部２０は両替金を出金する（ステップＳ２４）。そして、制御部２０は、レシートの発行、管理データの記憶等の処理を行なった後、今回の両替処理を終了する。
【００３０】
前記ステップＳ２３において、手数料用入金額Ｅが不足分（Ｃ−（Ａ−Ｂ））より高いと判別された場合には（ステップＳ２３：ＹＥＳ）、制御部２０は、両替金を出金するとともに、手数料用入金額Ｅと不足分（Ｃ−（Ａ−Ｂ））との差（Ａ−Ｂ＋Ｅ−Ｃ）に応じたお釣りＦ４を、出金庫２１Ｂ，２２Ｂ内の両替準備金から出金する（ステップＳ２５）。この場合、前記差額（Ａ−Ｂ）に手数料用入金額Ｅを加算した額（Ａ−Ｂ＋Ｅ）を手数料として入金された金額であると考えると、お釣りＦ４は、手数料として入金された金額と手数料Ｃとの差に応じた額となる。したがって、この場合のお釣りＦ４は、手数料のお釣りと見做すことができる。そして、制御部２０は、レシートの発行、管理データの記憶等の処理を行なった後、今回の両替処理を終了する。
【００３１】
両替処理が行われた場合に生成される管理データの具体例について説明する。図５Ａは、両替処理の内容例を示す模式図であり、図５Ｂは、図５Ａに示される両替処理が行われた場合に生成される管理データを示す模式図である。
ここでは、図５Ａに示される両替処理（処理１，処理２）が行われた場合に生成される管理データについて説明する。
【００３２】
手数料データ、入金データ、出金データ、入金庫の在高データ（図示略）および入金庫の在高データの総和（入金計）の初期値は零である。出金庫の在高データの初期値は、次の通りである。５千円札、千円札、１０円棒金、５００円硬貨および１００円硬貨の在高データは、それぞれ、５００，０００円、１００，０００円、５，０００円、５０，０００円、１０，０００円である。出金庫の在高データの総和（出金計）の初期値は、６６５，０００円である。
【００３３】
処理１は、１万円札を、１枚の５千円札と５枚の千円札に両替する処理である。処理１に適用される手数料は１００円である。処理１では、手数料を支払うために５００円硬貨が入金されたため、お釣り（手数料のお釣り）は４００円となる。
処理２は、１万円札を、９枚の千円札と１０枚の１００円硬貨に両替する処理である。処理２に適用される手数料は１００円である。処理２では、手数料を支払うために５００円硬貨が入金されたため、お釣り（手数料のお釣り）は４００円となる。
【００３４】
処理１が行われた場合には、手数料データは１００円となる。入金データに関しては、１万円札の入金データが１０，０００円となり、５００円硬貨の入金データが５００円となる。また、出金データに関しては、５千円札の出金データが５，０００円となり、千円札の出金データが５，０００円となり、１００円硬貨の出金データが４００円となる。この４００円は、手数料のお釣りとして出金した金額である。
【００３５】
入金庫の在高データの総計（入金計）は、１０，５００円となる。出金庫の在高データは、次のようになる。５千円札、千円札、１０円棒金、５００円硬貨および１００円硬貨の在高データは、それぞれ、４９５，０００円、９５，０００円、５，０００円、５０，０００円、９，６００円となる。出金庫の在高データの総和（出金計）は、６５４，６００円となる。
【００３６】
この後に、処理２が行われた場合には、手数料データは１００円となる。入金データに関しては、１万円札の入金データが１０，０００円となり、５００円硬貨の入金データが５００円となる。また、出金データに関しては、千円札の出金データが９，０００円となり、１００円硬貨の出金データが１４００円となる。この１４００円には、手数料のお釣りとしての出金した金額４００円が含まれている。
【００３７】
入金庫の在高データの総計（入金計）は、２１，０００円となる。出金庫の在高データは、次のようになる。５千円札、千円札、１０円棒金、５００円硬貨および１００円硬貨の在高データは、それぞれ、４９５，０００円、８６，０００円、５，０００円、５０，０００円、８，２００円となる。出金庫の在高データの総和（出金計）は、６４４，２００円となる。
【００３８】
１日の営業時間の終了後に、入金回収操作が行なわれる。具体的には、両替機１内の入金庫２１Ａ，２２Ａ内の貨幣を出納機（図示略）に回収するとともに、両替機１内の出金庫２１Ｂ，２２Ｂ，２３Ｂ内の在高を初期値に戻すための操作が行なわれる。
図６は、入金回収操作の手順を示している。
ここでは、入金回収時に、管理データが図５Ｂで示されるような値となっている場合を例にとって説明する。
【００３９】
まず、係員からの所定の指令が入力されることにより、制御部２０は、一日分の手数料の総額ΣＣ（Ｆ１の総計＋Ｆ２の総計＋Ｆ３の総計＋Ｆ４の総計）に相当する貨幣を、出金庫２１Ｂ，２２Ｂ，２３Ｂから出金させる（手順１）。出金された貨幣は、出納機に保管される。
図５Ｂの例では、手数料の総額ΣＦは、２００円であるので、図６（ａ）に示されるように、両替機１内の１００円硬貨の出金庫から２枚の１００円硬貨が出金される。この結果、在高データは、図６（ｂ）に示されるようになる。これにより、係員は、手数料の総額ΣＦに応じた貨幣を両替機１から取得することができる。このため、手数料の総額ΣＦに応じた貨幣を、両替機１から回収した貨幣から取り出す場合に比べて、係員の負担が軽減される。
【００４０】
次に、係員は、両替機１内の各入金庫２１Ａ，２２Ａ内の貨幣を回収する（手順２）。回収した貨幣は、出納機に保管される。入金計Ｘは、実際に出金された両替額Ｂの総額をΣＢとし、手数料Ｃの総額をΣＣとし、お釣りの総額（Ｆ１の総計＋Ｆ２の総計＋Ｆ３の総計＋Ｆ４の総計）をΣＦとすると、次式(1)で表される。
Ｘ＝ΣＢ＋ΣＣ＋ΣＦ      …(1)
図５Ｂの例では、入金計は２１，０００円となる。入金庫内の貨幣を回収した後の在高データは、図６（ｃ）に示されるようになる。
【００４１】
この後、係員は、両替機１内の出金庫２１Ｂ，２２Ｂ，２３Ｂ内の在高を初期値に戻すための操作を行う（手順３）。具体的には、係員は、出金庫毎に初期値と在高との差（初期値−在高）を算出することによって、各出金庫に補充すべき金額を求める。そして、出納機から各出金庫に補充すべき金額に相当する貨幣を出金して、各出金庫に補充額に相当する貨幣を装填する。
【００４２】
なお、補充額の総額Ｙは、手順１で出金庫２１Ｂ，２２Ｂ，２３Ｂから手数料Ｃの総額ΣＣを出金しているため、次式(2)で表されるように、入金計Ｘと等しくなる。
Ｙ＝ΣＢ＋ΣＦ＋＋ΣＣ
＝Ｘ      …(2)
したがって、図５Ｂの例では、補充額の総額Ｙは、２１，０００円となる。各出金庫に補充額に相当する貨幣を装填した後の在高データは、図６（ｄ）に示されるようになる。
【００４３】
前記実施形態によれば、手数料のお釣り（Ｆ２，Ｆ３，Ｆ４）を、両替機１内の出金庫２１Ｂ，２２Ｂ，２３Ｂ内の両替準備金から出金することができる。このため、前記特許文献１に記載された従来例に比べて、装置を大型化することなく、手数料のお釣りを出金できるようになる。
また、前記実施形態によれば、両替のための貨幣を入金するための入金口１３，１７は、手数料を入金するための入金口としても用いられているので、手数料を入金するための入金口を、両替のための貨幣を入金するための入金口１３，１７とは別に設ける必要がない。このため、両替機１の構成が簡単となる。
【００４４】
前記実施形態では、両替機１は、紙幣を他の金種の貨幣に両替する機能および硬貨を他の金種の硬貨に両替する機能を備えているが、この発明は、これらの機能のうちのいずれか一方の機能のみを備えている両替機にも適用することができる。また、前記実施形態では、手数料方式として従量方式が採用されているが、この発明は、固定方式が採用されている両替機にも適用することができる。
【００４５】
また、前記実施形態では、両替のための貨幣を入金するための入金口１３，１７が手数料を入金するための入金口として用いられているが、両替のための貨幣を入金するための入金口１３，１７とは別に、手数料を入金するための入金口を設けてもよい。
また、前記実施形態では、両替対象貨幣（紙幣および包装硬貨（棒金）、バラ硬貨）の金種を一部に限定して説明したが、全ての金種を含んでいてもよい。また、両替対象貨幣の種類の組合せは、前記実施形態で示された種類の組合せと異なってもよい。
【００４６】
さらに、両替機１から出納機への現金回収時に、管理データを両替機１から出納機に送信し、出納機が受信した管理データと回収した現金とを照合したり、出納機で管理データを管理するようにしてもよい。
その他、特許請求の範囲に記載された事項の範囲で種々の設計変更を施すことが可能である。
【符号の説明】
【００４７】
１  両替機
１１  操作表示部
１３  バラ硬貨入金口
１４  バラ硬貨出金口
１６  包装硬貨出金口
１７  紙幣入出金口
２０  制御部
２１  紙幣処理部
２２  バラ硬貨処理部
２３  包装硬貨処理部
２１Ａ，２２Ａ  入金庫
２１Ｂ，２２Ｂ，２３Ｂ  出金庫
２５  不揮発性メモリ
【図１】
2012064113.tif 000003
【図２】
2012064113.tif 000004
【図３】
2012064113.tif 000005
【図４】
2012064113.tif 000006
【図５】
2012064113.tif 000007
【図６】
2012064113.tif 000008